【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
撮影光学系を通過した光を受光して電荷蓄積を行うセンサを備え、前記センサで生成された信号に基づいて焦点検出を行う焦点検出手段と、
撮影光路内に進入し前記撮影光学系を通過した光を前記焦点検出手段に導く第１の位置と、前記撮影光路から退避した第２の位置との間で移動可能に構成される光学部材と、
前記焦点検出手段による焦点検出結果の履歴に基づいて、被写体の移動量に対応する値を予測し、当該被写体の移動量に対応する値を用いて合焦位置を算出する算出手段と、を有し、
撮影指示に応じて第１の撮影と第２の撮影を連続して行う場合、前記算出手段は、前記第２の撮影における前記合焦位置を算出するための前記被写体の移動量に対応する値の予測を、前記第１の撮影に伴う前記光学部材の前記第２の位置から前記第１の位置への移動が完了する前に行い、
前記焦点検出手段は、前記第１の撮影に伴って前記光学部材が前記第１の位置から前記第２の位置への移動を開始するまで、前記センサにおける電荷蓄積を継続可能とすることを特徴とする撮像装置。
【請求項２】
前記第１の撮影に伴って前記光学部材が前記第１の位置から前記第２の位置への移動を開始したら、前記焦点検出手段は前記センサにおける電荷蓄積を停止し、前記算出手段は前記第２の撮影における前記合焦位置を算出するための前記被写体の移動量に対応する値の予測を行うことを特徴とする請求項１に記載の撮像装置。
【請求項３】
前記光学部材を第１の速度で駆動する第１のモードと、前記光学部材を前記第１の速度より遅い速度で駆動する第２のモードを有し、
前記焦点検出手段は、前記第１のモードにおいて、前記撮影指示に応じて前記センサにおける電荷蓄積を停止し、前記第２のモードにおいて、前記第１の撮影に伴って前記光学部材が前記第１の位置から前記第２の位置への移動を開始するまで、前記センサにおける電荷蓄積を継続可能とすることを特徴とする請求項１または２に記載の撮像装置。
【請求項４】
前記焦点検出手段は、前記センサで蓄積された電荷に対応する信号が所定のレベルに達するか、前記センサにおける電荷蓄積時間が所定時間に達したら、前記センサにおける電荷蓄積を終了することを特徴とする請求項１乃至３のいずれか１項に記載の撮像装置。
【請求項５】
前記光学部材の前記第１の位置から前記第２の位置への移動開始を判定する判定手段を更に有することを特徴とする請求項１乃至４のいずれか１項に記載の撮像装置。
【請求項６】
前記判定手段は、前記光学部材の位置を電気的に検知する構成を有することを特徴とする請求項５に記載の撮像装置。
【請求項７】
前記判定手段は、前記撮影指示から予め決められた時間が経過したら、前記光学部材が前記第１の位置から前記第２の位置へ移動を開始したと判定することを特徴とする請求項５に記載の撮像装置。
【請求項８】
撮影光学系を通過した光を受光して電荷蓄積を行うセンサと、撮影光路内に進入し前記撮影光学系を通過した光を前記センサに導く第１の位置と、前記撮影光路から退避した第２の位置との間で移動可能に構成される光学部材とを有する撮像装置の制御方法であって、
前記センサにおける電荷蓄積を制御する制御工程と、
前記センサで生成された信号に基づいて焦点検出を行う焦点検出工程と、
前記焦点検出工程による焦点検出結果の履歴に基づいて、被写体の移動量に対応する値を予測し、当該被写体の移動量に対応する値を用いて合焦位置を算出する算出工程と、を有し、
撮影指示に応じて第１の撮影と第２の撮影を連続して行う場合、前記算出工程では、前記第２の撮影における前記合焦位置を算出するための前記被写体の移動量に対応する値の予測を、前記第１の撮影に伴う前記光学部材の前記第２の位置から前記第１の位置への移動が完了する前に行い、
前記制御工程では、前記第１の撮影に伴って前記光学部材が前記第１の位置から前記第２の位置への移動を開始するまで、前記センサにおける電荷蓄積を継続可能とすることを特徴とする撮像装置の制御方法。
【請求項９】
請求項８に記載の制御方法の各工程をコンピュータに実行させるためのプログラム。
【請求項１０】
請求項８に記載の制御方法の各工程をコンピュータに実行させるためのプログラムを記憶したコンピュータが読み取り可能な記憶媒体。
【手続補正２】
【補正対象書類名】明細書
【補正対象項目名】０００８
【補正方法】変更
【補正の内容】
【０００８】
上記目的を達成するために、本発明の撮像装置は、撮影光学系を通過した光を受光して電荷蓄積を行うセンサを備え、前記センサで生成された信号に基づいて焦点検出を行う焦点検出手段と、撮影光路内に進入し前記撮影光学系を通過した光を前記焦点検出手段に導く第１の位置と、前記撮影光路から退避した第２の位置との間で移動可能に構成される光学部材と、前記焦点検出手段による焦点検出結果の履歴に基づいて、被写体の移動量に対応する値を予測し、当該被写体の移動量に対応する値を用いて合焦位置を算出する算出手段と、を有し、撮影指示に応じて第１の撮影と第２の撮影を連続して行う場合、前記算出手段は、前記第２の撮影における前記合焦位置を算出するための前記被写体の移動量に対応する値の予測を、前記第１の撮影に伴う前記光学部材の前記第２の位置から前記第１の位置への移動が完了する前に行い、前記焦点検出手段は、前記第１の撮影に伴って前記光学部材が前記第１の位置から前記第２の位置への移動を開始するまで、前記センサにおける電荷蓄積を継続可能とする。
【手続補正３】
【補正対象書類名】明細書
【補正対象項目名】００３４
【補正方法】変更
【補正の内容】
【００３４】
次に、本発明の実施形態における焦点調節動作について説明する。上述したように、従来、静音撮影モードが設定されているときに、図４（ｂ）で示すようにミラーアップ動作（移動動作）を開始してから実際にミラーが上がり始めるまでに時間がかかるメカ構成のカメラがある。主ミラー２０６とフォーカルプレーンシャッタ２１３の駆動を１つのモータを用いて制御するメカ構成のカメラにおいて、ミラーアップをゆっくりと行わせるためにはミラーアップを行うモータのチャージ時間を要する。このチャージ時間を必要とすることが、ミラーアップ動作を開始しても実際にミラーが上がり始めるまでに時間がかかる要因である。
【手続補正４】
【補正対象書類名】明細書
【補正対象項目名】００３７
【補正方法】変更
【補正の内容】
【００３７】
Ｓ１０１でＡＦセンサ３０６ａ、３０６ｂへの蓄積動作が開始され、焦点状態の検出に適した信号レベルの電荷が蓄積されたラインセンサ対３０６−ｎがあれば（Ｓ１０２でＹｅｓ）、Ｓ１０３へと進む。ここでは、例えば、蓄積された電荷の信号レベルの最大値が予め決められた閾値を超えていたり、または、最大値と最小値との差が予め決められた閾値を超えている各ラインセンサ対３０６−ｎがあるかどうか等により判断する。Ｓ１０３では、焦点状態の検出に適した信号レベルの電荷が蓄積されたと判断されたラインセンサ対３０６−ｎの蓄積を終了し、信号の読み出しを行い、Ｓ１０４へ進む。Ｓ１０４では全ラインセンサ対３０６−ｎの蓄積が終了したか否かを判定し、全ラインセンサ対３０６−ｎの蓄積が終了したのであれば、Ｓ１１１に進む。全ラインセンサ対３０６−ｎの蓄積が終了していなければＳ１０５へと進む。
【手続補正５】
【補正対象書類名】明細書
【補正対象項目名】００４０
【補正方法】変更
【補正の内容】
【００４０】
Ｓ１０９では蓄積動作中のラインセンサ対３０６−ｎを強制的に蓄積終了させ、Ｓ１１０の読み出し処理に移行する。Ｓ１１０は、強制的に蓄積終了されたラインセンサ対３０６−ｎから蓄積された信号を読み出す。Ｓ１１１では、読み出した信号を用いて相関演算を行い、焦点検出処理を行う。Ｓ１１２でＳ１１１で求めた焦点検出結果と過去複数回の焦点検出結果を用いて将来の被写体の移動量を予測し、予測した移動量とＳ１１１で得られた焦点検出結果とに基づいて撮影レンズ２０１を駆動させることで焦点調節処理を行う。
【手続補正６】
【補正対象書類名】明細書
【補正対象項目名】００４９
【補正方法】変更
【補正の内容】
【００４９】
なお、上記説明では、図７乃至図１０のいずれかの焦点検出結果の使用判定処理を実施するものとして説明したが、複数の使用判定処理を組み合わせて実施してもよい。また、図７乃至図１０のいずれかに示す条件を満たさない場合に、Ｓ１０３において、該当するラインセンサ対３０６−ｎの焦点検出を行わないように制御してもよい。